(57)【要約】【課題】制御基板の装着部を運搬時に確実に保護する。【解決手段】電気接続箱１は、ケース部１０の内部に収容されたバスバーを含む内部回路を有し、制御基板が装着される基板装着部１６がケース部１０の上面１０ａに形成され、基板装着部１６上に内部回路から延出する接続端子２４が突出すると共に、制御基板を位置決めして基板装着部１６に装着するための複数の位置決め用のボス１９が突出したものであり、ケース部１０は、上面１０ａの基板装着部１６の領域よりも外側に形成された周壁部１１，１２を有し、ボス１９は、２つの電気接続箱１の基板装着部１６同士を対向させて上面１０ａ同士が平行となるように重ね合わせた状態のときに、ボス１９同士が干渉しない位置に形成されており、周壁部１１，１２は、重ね合わせた状態のときに上面１０ａからの周壁部１１，１２の総高さがボス１９の高さよりも高くなるように形成されている。【選択図】図１
2015050829.tif 000002
【特許請求の範囲】
【請求項１】
ケース部の内部に収容されたバスバーを含む内部回路を有し、前記内部回路と接続される電子制御ユニットが搭載された制御基板が装着される基板装着部が前記ケース部の主面に形成され、前記基板装着部上に前記内部回路から延出する接続端子が突出すると共に、前記制御基板を位置決めして前記基板装着部に装着するための複数の位置決め突起が突出した電気接続箱であって、
前記ケース部は、
前記主面の前記基板装着部の領域よりも外側に形成された凸部を有し、
前記複数の位置決め突起は、
２つの電気接続箱の前記基板装着部同士を対向させて前記主面同士が平行となるように重ね合わせた状態のときに、前記位置決め突起同士が干渉しない位置に形成されており、
前記凸部は、
前記重ね合わせた状態のときに前記主面からの前記凸部の総高さが前記位置決め突起の高さよりも高くなるように形成されている
ことを特徴とする電気接続箱。
【請求項２】
請求項１記載の電気接続箱を梱包する梱包構造であって、
前記重ね合わせた状態を固定保持する保持機構によって、２つの電気接続箱を１つに梱包する
ことを特徴とする梱包構造。
【請求項３】
前記保持機構は、
前記２つの電気接続箱の前記ケース部の外周側に装着されるバンド部材からなる
ことを特徴とする請求項２記載の梱包構造。
【請求項４】
前記保持機構は、
前記２つの電気接続箱の前記凸部及び該凸部と接触する前記ケース部又は凸部のいずれか一方に形成された第１係止部と、いずれか他方に形成された前記第１係止部が係合される第２係止部とからなる
ことを特徴とする請求項２記載の梱包構造。
【請求項５】
前記基板装着部に装着された前記制御基板を覆うカバー部を取り付けるロック機構が前記ケース部の前記主面及び前記主面と交差する側面に設けられ、
前記保持機構は、
前記ロック機構により構成される
ことを特徴とする請求項２記載の梱包構造。
【請求項６】
前記保持機構は、
前記２つの電気接続箱の前記凸部及び該凸部と接触する前記ケース部又は凸部の両方に取り付けられるクリップ部材からなる
ことを特徴とする請求項２記載の梱包構造。
【発明の詳細な説明】
【技術分野】
【０００１】
この発明は、電気接続箱及びその梱包構造に関する。
【背景技術】
【０００２】
従来より、ＥＣＵ（Electronic Control Unit）等の制御基板を収容可能な電気接続箱として、例えば電気接続箱のケースに装着されるカバーを仮係止及び本係止可能に構成したものが知られている（下記特許文献１参照）。この電気接続箱では、制御基板の搭載前にケースにカバーを仮係止して運搬等を行い、搭載後にカバーを本係止して電気接続箱を完成させるので、完成までに電気接続箱本体の制御基板の装着側を確実に保護可能とされている。
【先行技術文献】
【特許文献】
【０００３】
【特許文献１】特開２００４−９６８９９号公報
【発明の概要】
【発明が解決しようとする課題】
【０００４】
しかしながら、上記特許文献１に開示された従来技術の電気接続箱では、ケースに対してカバーを仮係止及び本係止可能とするために、ケースやカバーの構造が複雑になってしまうという問題がある。
【０００５】
この発明は、上述した従来技術による問題点を解消し、ケースの外面側に制御基板の装着部を備えた電気接続箱であって、運搬時に制御基板の装着部を確実に保護することができる電気接続箱及びその梱包構造を提供することを目的とする。
【課題を解決するための手段】
【０００６】
本発明に係る電気接続箱は、ケース部の内部に収容されたバスバーを含む内部回路を有し、前記内部回路と接続される電子制御ユニットが搭載された制御基板が装着される基板装着部が前記ケース部の主面に形成され、前記基板装着部上に前記内部回路から延出する接続端子が突出すると共に、前記制御基板を位置決めして前記基板装着部に装着するための複数の位置決め突起が突出した電気接続箱であって、前記ケース部は、前記主面の前記基板装着部の領域よりも外側に形成された凸部を有し、前記複数の位置決め突起は、２つの電気接続箱の前記基板装着部同士を対向させて前記主面同士が平行となるように重ね合わせた状態のときに、前記位置決め突起同士が干渉しない位置に形成されており、前記凸部は、前記重ね合わせた状態のときに前記主面からの前記凸部の総高さが前記位置決め突起の高さよりも高くなるように形成されていることを特徴とする。
【０００７】
本発明に係る電気接続箱によれば、ケース部の複数の位置決め突起及び凸部が、２つの電気接続箱の基板装着部同士を対向させて主面同士が平行となるように重ね合わせた状態のときに、位置決め突起同士が干渉しない位置に形成され、主面からの凸部の総高さが位置決め突起の高さよりも高くなるように形成されているので、互いの基板装着部側をケース部で覆うように重ね合わせて保護することが可能となる。
【０００８】
本発明に係る梱包構造は、上記記載の電気接続箱を梱包する梱包構造であって、前記重ね合わせた状態を固定保持する保持機構によって、２つの電気接続箱を１つに梱包することを特徴とする。
【０００９】
本発明に係る梱包構造によれば、２つの電気接続箱を上述したように保持機構によって重ね合わせた状態で１つに梱包することができるので、２つの電気接続箱の互いの基板装着部側をケース部で覆うように重ね合わせて１つに梱包して保護することができ、運搬時に基板装着部を確実に保護すること可能となる。
【００１０】
本発明の一実施形態においては、前記保持機構は、前記２つの電気接続箱の前記ケース部の外周側に装着されるバンド部材からなる。
【００１１】
また、本発明の他の実施形態においては、前記保持機構は、前記２つの電気接続箱の前記凸部及び該凸部と接触する前記ケース部又は凸部のいずれか一方に形成された第１係止部と、いずれか他方に形成された前記第１係止部が係合される第２係止部とからなる。
【００１２】
更に、本発明の更に他の実施形態においては、前記基板装着部に装着された前記制御基板を覆うカバー部を取り付けるロック機構が前記ケース部の前記主面及び前記主面と交差する側面に設けられ、前記保持機構は、前記ロック機構により構成される。
【００１３】
また、本発明の更に他の実施形態においては、前記保持機構は、前記２つの電気接続箱の前記凸部及び該凸部と接触する前記ケース部又は凸部の両方に取り付けられるクリップ部材からなる。
【発明の効果】
【００１４】
本発明によれば、運搬時に制御基板の装着部を確実に保護することができる。
【図面の簡単な説明】
【００１５】
【図１】本発明の第１の実施形態に係る電気接続箱の外観を示す斜視図である。
【図２】同電気接続箱の梱包構造を示す図１のＮ１矢視図である。
【図３】同電気接続箱の他の構成及び梱包構造を示す側面図である。
【図４】本発明の第２の実施形態に係る電気接続箱の外観を示す斜視図である。
【図５】同電気接続箱の梱包構造を示す図４のＮ２矢視図である。
【図６】同電気接続箱の制御基板を取り付けた後にカバーを取り付けた構造を示す側面図である。
【図７】本発明の第３の実施形態に係る電気接続箱の梱包構造を一部を断面で示す側面図である。
【発明を実施するための形態】
【００１６】
以下、添付の図面を参照して、この発明の実施の形態に係る電気接続箱及びその梱包構造を詳細に説明する。
【００１７】
図１は、本発明の第１の実施形態に係る電気接続箱の外観を示す斜視図である。図２は、電気接続箱の梱包構造を示す図１のＮ１矢視図である。図１に示すように、第１の実施形態に係る電気接続箱１は、例えば自動車等の車両に搭載される電気接続箱として用いられ、例えばセミアッシィ部品として構成されている。電気接続箱１は、例えば矩形状の樹脂成形部材からなるケース部１０の内部に図示しない内部回路を収容して構成されている。
【００１８】
ケース部１０は、例えば上下に着脱自在な複数のケースハウジングを組み合わせて構成され、各ケースハウジングは、それぞれの側面部の互いに対応する位置に形成された係合用の突起やこの突起が嵌まる係合用の溝などからなる公知のロック機構（図示せず）等により、互いに係合固定されている。
【００１９】
また、下方のケースハウジングには、底面から上方に所定の長さで延びて上方のケースハウジングを貫通する複数の位置決め用の突起（ボス）１９が形成される。
【００２０】
これらボス１９は、後述する制御基板等の電気接続箱１への装着時に、制御基板等に形成された位置決め穴に挿入されて、基板装着部１６上における正確な位置決めのために用いられる。なお、上下のケースハウジングは、例えば所定箇所にてねじ止め固定されても良い。
【００２１】
ケース部１０の上面（主面）１０ａには、基板装着部１６が形成されている。この基板装着部１６には、内部回路から上方に延びる接続端子２４をケース部１０の内部から基板装着部１６上に挿通させる端子孔部１０ｂが形成されている。基板装着部１６には、例えば内部回路と接続端子２４を介して接続される電子制御ユニット（ＥＣＵ）等の電子部品が搭載された制御基板（図示せず）が装着される。制御基板は、電気接続箱１の回路設計や電気接続箱１による制御態様に変更が生じた場合に、電子回路の回路パターンを変更して適用することができるように、ケース部１０に取り替え自在に装着されるものである。
【００２２】
また、ケース部１０の上面１０ａには、図中矢印Ａ方向及びＢ方向の端部側、すなわち、上面１０ａにおける基板装着部１６の領域よりも外側にそれぞれ形成された上方に突出する周壁部１１，１２と、この周壁部１１，１２に設けられ、図示しない外部のコネクタが嵌合接続されるコネクタ部１４とが設けられている。周壁部１１，１２及びコネクタ部１４により、凸部が構成される。これら周壁部１１，１２間に設けられた基板装着部１６は、ケース部１０の上面１０ａに平坦に形成されている。
【００２３】
そして、基板装着部１６において上面１０ａ上に突出するボス１９は、図２に示すように、例えば図１に示した構造で形成された２つの電気接続箱１を、基板装着部１６同士及び周壁部１１，１２同士をそれぞれ対向させて上面１０ａ同士が平行となるように重ね合わせたときに、各電気接続箱１のボス１９同士が互いに干渉しない位置に形成されている。
【００２４】
なお、ボス１９は、例えば２つの電気接続箱１の上記Ａ方向及びＢ方向の周壁部１１，１２を、それぞれ上述した態様と逆にした状態（すなわち、周壁部１１と周壁部１２とが互いに対向するようにした状態）においても、ボス１９同士が互いに干渉しないように設定された位置に形成されている。
【００２５】
また、コネクタ部１４を含む周壁部１１，１２は、上記のように重ね合わせたときに、各電気接続箱１の上面１０ａからの周壁部１１，１２及びコネクタ部１４の高さＬｂ，Ｌｃを合わせた総高さＬｂ＋Ｌｃが、ボス１９の高さＬａよりも高くなる（すなわち、Ｌｂ＋Ｌｃ＞Ｌａとなる）ようにケース部１０の上面１０ａ上に形成されている。この寸法関係は、コネクタ部１４の高さを無視した場合も同じである。このような寸法関係で周壁部１１，１２及びボス１９等を形成することで、ボス１９の先端が上面１０ａに接触する等して破損するなどの不具合が生じない。
【００２６】
なお、２つの電気接続箱１は、このように重ね合わせた状態を固定保持する保持機構としての帯状材からなるバンド１３を、これらの電気接続箱１のケース部１０の外周側に装着することにより、１つに梱包される。これにより、各電気接続箱１の基板装着部１６側を各ケース部１０で覆うように重ね合わせた状態で運搬等することができるので、運搬時に基板装着部側を確実に保護すること可能となる。
【００２７】
図３は、同電気接続箱の他の構成及び梱包構造を示す側面図である。上述した電気接続箱１は、ケース部１０の上面１０ａ上に周壁部１１，１２が形成されたものであったが、図３に示すように、周壁部１５は、上面１０ａの基板装着部１６の領域よりも外側に形成されていれば良い。
【００２８】
この場合、周壁部１５同士がそれぞれ互い違いとなるように２つの電気接続箱１を、基板装着部１６同士をそれぞれ対向させて上面１０ａ同士が平行となるように重ね合わせれば、運搬時に基板装着部側を確実に保護することができると共に、更に梱包時の上下方向の厚さを抑えることができるので、運搬時等の省スペース化を図ることができる。なお、図３においては、各電気接続箱１のボス１９同士が上面１０ａの面方向においても更に互いに干渉しない位置に形成されている。
【００２９】
図４は、本発明の第２の実施形態に係る電気接続箱の外観を示す斜視図である。図５は、電気接続箱の梱包構造を示す図４のＮ２矢視図である。図４に示すように、第２の実施形態に係る電気接続箱１Ａは、第１の実施形態に係る電気接続箱１と同様の構造を備えているが、上述したバンド１３に代わる保持機構を備えた点が相違している。
【００３０】
すなわち、電気接続箱１Ａの保持機構は、例えば周壁部１１側の側壁部１７の一部に形成された溝状の係合凹部２１と、周壁部１２の一部に形成された係合凹部２１と係合される係合爪部２２とから構成されている。このように構成された保持機構により、梱包時には、図５に示すように、例えば図４に示した構造で形成された２つの電気接続箱１Ａを、基板装着部１６同士及び周壁部１１と周壁部１２とがそれぞれ対向し上面１０ａ同士が平行となるように重ね合わせる。
【００３１】
そして、周壁部１２に形成された係合爪部２２を側壁部１７に形成された係合凹部２１にそれぞれ係合すれば、各電気接続箱１Ａのボス１９同士が互いに干渉しない状態で、基板装着部１６側を各ケース部１０で覆うように重ね合わせて１つに梱包することが可能となる。これにより、第１の実施形態に係る電気接続箱１と同様に、運搬時に基板装着部側を確実に保護することできる。
【００３２】
図６は、制御基板を取り付けた後にカバーを取り付けた構造を示す側面図である。上記係合凹部２１及び係合爪部２２からなる保持機構は、２つの電気接続箱１Ａの梱包に用いるのみならず、図６に示すように、基板装着部１６に制御基板４０が装着され、接続端子２４を介して内部回路と制御基板４０とが接続された電気接続箱１Ａに取り付けられるカバー３０用のロック機構としても用いることが可能である。
【００３３】
すなわち、電気接続箱１Ａの上面１０ａ上を、基板装着部１６、制御基板４０、周壁部１１、コネクタ部１４等を全体的に覆うようにケース部１０に取り付けられるカバー３０は、例えばコの字状断面を有する樹脂成形部材からなり、一方の端部３１側に係合爪部２２が形成され、他方の端部３２側に係合凹部２１が形成された構造を備えている。
【００３４】
カバー３０の電気接続箱１Ａへの取付時には、端部３１の係合爪部２２を周壁部１１の係合凹部２１に嵌合させると共に、周壁部１２の係合爪部２２を端部３２の係合凹部２１に嵌合させることで、カバー３０を電気接続箱１Ａに係止固定するので、両者を確実にロックすることができる。
【００３５】
図７は、本発明の第３の実施形態に係る電気接続箱の梱包構造を一部を断面で示す側面図である。図７に示すように、第３の実施形態に係る電気接続箱１Ｂは、第１及び第２の実施形態に係る電気接続箱１，１Ａと同様の構造を備えているが、上述したバンド１３や係合凹部２１及び係合爪部２２に代わる保持機構を備えた点が相違している。
【００３６】
すなわち、電気接続箱１Ｂの保持機構は、例えば周壁部１１，１２の外側面の一部に形成された孔部２６と、これらの孔部２６に両端側の突起が引っ掛かるように形成されたクリップ２５とから構成されている。このように構成された保持機構によっても、２つの電気接続箱１Ｂを上述したように重ね合わせ、運搬時等に基板装着部側を確実に保護することできる。
【符号の説明】
【００３７】
１，１Ａ，１Ｂ        電気接続箱
１０                  ケース部
１０ａ                上面
１１，１２，１５      周壁部
１３                  バンド
１４                  コネクタ部
１６                  基板装着部
１９                  ボス
２１                  係合凹部
２２                  係合爪部
２３                  突起
２４                  片部
２５                  クリップ
２６                  孔部
３０                  カバー
３１，３２            端部
【図１】
2015050829.tif 000003
【図２】
2015050829.tif 000004
【図３】
2015050829.tif 000005
【図４】
2015050829.tif 000006
【図５】
2015050829.tif 000007
【図６】
2015050829.tif 000008
【図７】
2015050829.tif 000009